(57)【特許請求の範囲】
【請求項１】
粘着層と粘着層を支持するバッキング材とからなる排泄物収容装具用面板において、
粘着剤層とバッキング材には開口が設けられ、
粘着層を親水性成分と疎水性成分とを含む皮膚保護剤で構成し、
バッキング材を水溶性高分子または生分解性樹脂で構成することにより水と接触して崩壊し得るようにした上で、バッキング材の開口に面する領域の部分を不溶化処理したことを特徴とする排泄物収容装具用面板。
【請求項２】
排泄物を収容する袋部と人体に固定される排泄物収容装具用面板とからなる排泄物収容装具に用いる排泄物収容装具用面板であって、
粘着層と粘着層を支持するバッキング材とからなり、
粘着層を親水性成分と疎水性成分とを含む皮膚保護剤で構成し、
バッキング材を水溶性高分子または生分解性樹脂で構成することにより水と接触して崩壊し得るようにした上で、バッキング材の袋部との固定部分を不溶化処理したことを特徴とする排泄物収容装具用面板。
【請求項３】
粘着層を親水性成分、疎水性成分及び水溶性高分子を含む皮膚保護剤で構成したことを特徴とする請求項１又は２に記載の排泄物収容装具用面板。
【発明の詳細な説明】
【０００１】
【発明の属する技術分野】
本発明は、人体に造設した排泄孔より排泄される排泄物を一時的に収容するための排泄物収容装具に使用される面板に関する。
【０００２】
【従来の技術】
便、尿の失禁者、消化器系、泌尿器系器官の疾患のため外科的手術を行い腸管や尿管を体表まで導き体表面にストーマを造設した人、或いはその他の疾患で体表面にストーマやフィステルを造設した人は、それらの造設された排泄孔から排泄される便、尿、体液等の排泄物を処理するため、排泄物を一時的に貯留できる排泄物収容装具を排泄孔に装着する。この排泄物収容装具は一般的に面板と収容器部即ち袋部とから構成され、面板に設けられた粘着層で人体の造設された排泄孔に固定される。面板と収容器部との組合せ構造には、両者を一体化したワンピース型と、両者を粘着や嵌合により着脱可能にしたツーピース型とがあり、それぞれに特徴を持っている。これらの排泄物収容装具は、ある程度排泄物が収容器部内に溜まったら排泄物を捨て、洗浄した後再度使用するか、又はワンピース型のものは装具全体を、ツーピース型のものは全体もしくは収容器部のみを廃棄し、全体もしくは収容器部を新しいものと付け替えることが行われる。この廃棄処理に当たっては、排泄物収容装具全体又は収容器部のみを新聞紙やプラスチックフィルム等で厳重に密封包装し、一般廃棄物と同様に廃棄するが、その処理は極めて煩雑であり、時に包装が破れてゴミ収集時に作業者に思わぬ迷惑をかけることがある。この点を解決するため、水洗便所にそのまま廃棄することができる排泄物収容装具の開発が進められているが、この種の排泄物収容装具は、多くは水に接触したとき膨潤又は崩壊することを原理としている。しかしながら、特に面板は一般に収容器部を連結保持するための強度を有しなければならないから、ある程度厚みを持ち、そのため水と接触しても分解に時間がかかり、水洗便所に投棄した場合面板の形が残り、排水管に詰まるという事故を発生しやすいという問題点がある。面板は通常、人体の表面に粘着させるための粘着性皮膚保護剤と、皮膚保護剤を支持すると共に袋部又はツーピース型の嵌合装置を固定するためのバッキング材とを備え、この従来のバッキング材は水に対して膨潤、崩壊の影響を受けない材質のため、排泄物収容装具全体としては水洗便所に投棄し得るものであっても、バッキング材は浄化槽等に残ってしまうことになり、汚水排出の妨げになる。即ち、公共下水道に連結された水洗便所の場合は、水洗便所を通過し得た汚物、装具はそのまま下水道に排出されるが、公共下水道を持たない地域においては、水洗便所は浄化槽に接続し、投棄された汚物、装具等は一旦浄化槽に入ってそこにある時間停留してばっ気されることになるから、もし装具が崩壊しないままに浄化槽に入ると浄化槽は閉塞状態となる危険性がある。
【０００３】
【発明が解決しようとする課題】
本発明の課題は、水洗便所に投棄し水と接触したとき崩壊し得る排泄物収容装具用面板を提供することにある。
【０００４】
【課題を解決するための手段】
上述の課題を解決するため、本発明によれば、粘着層と粘着層を支持するバッキング材とからなる排泄物収容装具用面板において、粘着層を親水性成分と疎水性成分とを含む皮膚保護剤で構成し、バッキング材を水と接触して崩壊し得る成分で構成する。
【０００５】
面板を構成する材料の内、皮膚保護剤は水と接触したとき崩壊するために必要な親水性成分と、形状保持等の面板物性を持つための疎水性成分とを含み、親水性成分としては、カラヤガム、ペクチン、ゼラチン、カルボキシメチルセルロース（ＣＭＣ）、アルギン酸塩、疎水性成分としては、スチレン・イソプレン・スチレン共重合体（ＳＩＳ）、ポリイソブチレン（ＰＩＢ）、液状ゴム等を使用することができる。皮膚保護剤は、水中に投棄したときの崩壊性を高めるために、水溶性高分子を含有させることができる。水溶性高分子としては、例えばポリエステルポリオール、ポリビニルアルコール（ＰＶＡＬ）、ポリビニルピロリドン（ＰＶＰ）等を使用することができる。
【０００６】
バッキング材は、収容器部を粘着、接着、溶着、圧着等により固定できると共に装具使用中は崩壊せず、水と接触すると容易に崩壊する材料、例えば水溶性高分子、生分解性樹脂等を成分として含む材料が好ましい。水溶性高分子としては、天然高分子（ゼラチン、キトサン等）、半合成高分子（カルボキシメチルセルロース（ＣＭＣ）、アルギン酸塩等）、合成高分子（ポリビニルアルコール（ＰＶＡＬ）、ポリビニルピロリドン（ＰＶＰ）、ポリエステルポリオール等）を使用することができる。生分解性樹脂としては、微生物産生系（３‐ヒドロキシ酪酸と３‐ヒドロキシ吉草酸の共重合体等）、化学合成系（ポリ乳酸、脂肪族ポリエステル等）、天然物利用系（酢酸セルロース、変性ポリビニルアルコール・デンプン系、デンプン系等）を使用することができる。なお、水溶性高分子はフィルム形状、合成高分子はフィルム形状、不織布、発泡体形状のものを使用することができる。生分解性樹脂はいずれもフィルム、不織布、発泡体形状のものを使用することができる。水溶性高分子を使用する場合、使用中水分と接触する惧れのある部分は最小限の不溶化処理を行うことにより、水中に投棄されて水と接触したときの崩壊時間を延ばすことなく使用中の崩壊を防止することができる。不溶化処理は例えばヒートシール、高周波ウエルディング等の方法がある。
【０００７】
【発明の実施の形態】
次に本発明の実施の形態を図面に示す実施例について説明する。
【０００８】
図１は本発明の対象とする排泄物収容装具の一例の、ａは正面図、ｂは縦断側面図、ｃは本発明の面板の実施例の拡大断面図である。１は面板で、粘着機能で人体上に固定するための粘着層２と粘着層２を支持するバッキング材３とからなり、両者は開口４を有し、粘着層２は保管時はセパレーター５により覆われ粘着面を保護されている。面板１のバッキング材３側には開口４の周りに収容器部としての袋部６が固定されている。この排泄物収容装具は面板１の粘着層２でもって人体に造設された排泄孔の周りに固定され、排泄孔から排泄される便、尿、体液等の排泄物を袋部６内に収容する。面板１の粘着層２は親水性成分、疎水性成分及び水溶性高分子を含む皮膚保護剤で構成され、バッキング材３は水と接触して崩壊する成分からなる。
【０００９】
次に本発明の面板の粘着層、バッキング材の配合を変更した７つの実施例及び１つの比較例を作った。次の表１、表２、表３、表４はその各実施例、比較例の組成を示す。
【００１０】
【表１】
0004608628.tif 000002
【００１１】
【表２】
0004608628.tif 000003
【００１２】
【表３】
0004608628.tif 000004
【００１３】
【表４】
0004608628.tif 000005
【００１４】
表１、表２、表３及び表４に示す各実施例の面板の製造方法は次のとおりである。ポリイソブチレン、カラヤガム＃150、柑橘ペクチン、各指定の水溶性高分子を表に示す分量だけ加圧ニーダーで混合し、圧延して厚さ0.45mmのシートを形成して粘着層とし、片面に各指定の水溶性高分子の厚さ25μmのフィルム、生分解性樹脂の厚さ30μmのフィルムをそれぞれ貼り合わせてバッキング材とし、粘着層のもう一方の面に剥離紙を貼り合わせて面板を作製した。不溶化処理はヒートシールにより図１ｄに示すようにバッキング材３の開口４に面する領域７の部分に施した。また表４に示す比較例の製造方法は次のとおりである。ポリイソブチレン、カラヤガム＃150、柑橘ペクチンを表に示す分量だけ加圧ニーダーで混合し、圧延して厚さ0.45mmのシートを形成して粘着層とし、片面にメタクリル酸エチルフィルムの厚さ100μmのフィルムを貼り合わせてバッキング材とし、粘着層のもう一方の面に剥離紙を貼り合わせて面板を作製した。
【００１５】
上述の表１〜４に示す実施例及び比較例について、それぞれ直径30mmに抜いた円板状のサンプルを作り、剥離紙を剥がして150ml入りの容器に入れ、その中に水道水100mlを投入し、20℃下に24時間静置下で放置した。24時間後攪拌機を容器内に挿入して攪拌機を300rpmの回転速度で回転させ、水を攪拌し、３分以内に崩壊するか否かを調べた。その結果を次の表５に示す。
【００１６】
【表５】
0004608628.tif 000006
【００１７】
表５において、○は３分以内に崩壊したもの、△は３分以上経過してから崩壊したもの、×は３分以上経過しても崩壊しないものをいう。この表から明らかなように、実施例１〜６はすべて形状はかろうじて保持するものの柔らかく、僅かな外力で崩壊し、実施例７はバッキング材に生分解性樹脂を使用している関係で水溶性高分子を使用したバッキング材に比較して若干崩壊に時間を要した。これに対し、比較例は形状を保持し、しかも硬いために、外力がかかっても崩壊しなかった。なお、ここで24時間静置下で放置するという条件は、浄化槽におけるばっ気時間を考慮して定めた時間であり、攪拌は、静止水中では崩壊が生じていても確認し難いため擬似的な流水状態を起こさせて崩壊を確認し易くするため、また浄化槽では必然的に伴う攪拌作用を模擬化するためである。
【００１８】
次に上述の各実施例の面板を、３４℃、９０％RHの条件（人の腹部上の擬似的な環境）下で２日間放置し、粘着層の皮膚保護剤及びバッキング材が湿分を吸収して崩壊するか否かを目視で確認する検査を実施したが、崩壊はなんら認められなかった。また不溶化処理した面板を直径３０ｍｍの大きさに抜き、水の入った容器に水没させ、３４℃の雰囲気中に静置し、８時間経過後に不溶化処理部分の変化を目視で確認する検査を実施したが、なんら変化は認められなかった。
【００１９】
【発明の効果】
本発明によれば、面板の構成要素の特に従来水洗便所での水洗処理が困難であったバッキング材を他の構成要素と同様に容易に水洗処理することが可能となり、排泄物収容装具全体の水洗処理化に道を開くものである。
【図面の簡単な説明】
【図１】ａ、ｂは本発明の対象とする排泄物収容装具の一例のそれぞれ正面図、縦断側面図、ｃは本発明の面板の実施例の拡大断面図、ｄは本発明の面板の実施例の不溶化処理の領域の説明図である。
【符号の説明】
１  面板
２  粘着層
３  バッキング材
４  開口
５  セパレータ
６  袋部
７  不溶化処理部
【図１】
0004608628.tif 000007